(57)【特許請求の範囲】
【請求項１】
遊技機本体に開閉可能に配置された前扉の前側に、発射用の遊技球を貯留する貯留手段と、該貯留手段からの遊技球を誘導する誘導通路とを備え、
前記前扉の後側に、前記誘導通路の遊技球を発射手段へと送る球送り手段を備えた遊技機において、
前記誘導通路は上側が閉塞部により閉塞された閉塞部分を下流側に有し、
前記誘導通路の前記閉塞部分に、前記球送り手段側に開放して前記誘導通路を清掃可能な清掃窓を、前記球送り手段に遊技球を供給する球供給口の上流側に前記誘導通路の通路方向に沿って連続状に備え、
前記球送り手段は前記清掃窓内に突出して前記清掃窓を開閉可能に閉塞し且つ前記誘導通路内の遊技球を通路方向に案内可能な窓閉塞部を有する
ことを特徴とする遊技機。
【請求項２】
前記前扉の支持壁の前側に前記貯留手段及び前記誘導通路を、前記支持壁の後側に前記球送り手段を夫々配置し、
前記支持壁に前記清掃窓を設けた
ことを特徴とする請求項１に記載の遊技機。
【発明の詳細な説明】
【技術分野】
【０００１】
本発明は、パチンコ機、アレンジボール機等の遊技機に関するものである。
【背景技術】
【０００２】
パチンコ機等の遊技機は、遊技機本体の下部に遊技球の発射手段を配置し、遊技機本体の前側下部の開閉体に、発射用の遊技球を貯留する貯留手段と、この貯留手段から誘導通路を経て誘導される遊技球を発射手段側へと送る球送り手段とを備え、発射ハンドルの操作により発射手段、球送り手段が作動して遊技盤の遊技領域へと遊技球を１個ずつ発射するようになっている。
【０００３】
この種の遊技機では、遊技球を間断なく発射しながら遊技を行うため、長期間にわたって稼動すれば、遊技球に付着した汚れが誘導通路に付着し成長して遊技球の流れが悪くなる等の惧れがあることから、誘導通路の上側を開放して遊技通路の付着物を除去できるようにしている（特許文献１）。
【０００４】
即ち、この遊技機では、誘導通路の上側に配置された通路カバーを前後方向の支軸により開閉可能に枢着すると共に、この通路カバーを閉塞方向に付勢するバネを設け、開閉体を遊技機本体側に閉じたときに通路カバーを閉塞位置でロックするようになっている。
【先行技術文献】
【特許文献】
【０００５】
【特許文献１】特開２００８−２２０４９９号公報
【発明の概要】
【発明が解決しようとする課題】
【０００６】
従来の遊技機では、開閉体を開放したときに通路カバーが開閉可能になり、この通路カバーをバネに抗して開放方向に操作すれば、誘導通路の上側が開放状態となるため、誘導通路に付着した付着物を容易に除去することができる。
【０００７】
しかし、誘導通路の上側を支軸廻りに開閉可能な通路カバーで覆っているため、通路カバーの周辺部分に隙間が発生し易くなり、その隙間を経て誘導通路から球送り手段側へとピアノ線、その他の不正部材を挿入する等の不正工作がなされる惧れがある。
【０００８】
通路カバーは開閉体を閉じれば閉状態でロックする構成になっているが、それ自体が周辺部材とは別体の開閉式であるため、周辺部材等との関係で剛強な支持構造を採用することが困難であり、強力な外力を加えることにより比較的簡単に通路カバーが損傷する等の惧れもある。
【０００９】
本発明は、このような従来の問題点に鑑み、誘導通路の清掃を容易にできる遊技機を提供することを目的とする。
【課題を解決するための手段】
【００１０】
本発明は、遊技機本体に開閉可能に配置された前扉の前側に、発射用の遊技球を貯留する貯留手段と、該貯留手段からの遊技球を誘導する誘導通路とを備え、前記前扉の後側に、前記誘導通路の遊技球を発射手段へと送る球送り手段を備えた遊技機において、前記誘導通路は上側が閉塞部により閉塞された閉塞部分を下流側に有し、前記誘導通路の前記閉塞部分に、前記球送り手段側に開放して前記誘導通路を清掃可能な清掃窓を、前記球送り手段に遊技球を供給する球供給口の上流側に前記誘導通路の通路方向に沿って連続状に備え、前記球送り手段は前記清掃窓内に突出して前記清掃窓を開閉可能に閉塞し且つ前記誘導通路内の遊技球を通路方向に案内可能な窓閉塞部を有するものである。
【００１１】
前記前扉の支持壁の前側に前記貯留手段及び前記誘導通路を、前記支持壁の後側に前記球送り手段を夫々配置し、前記支持壁に前記清掃窓を設けたものでもよい。
【発明の効果】
【００１３】
本発明では、誘導通路の清掃を容易にできる利点がある。
【図面の簡単な説明】
【００１４】
【図１】本発明の第１の実施形態を示すパチンコ機の正面図である。
【図２】同前枠側の正面図である。
【図３】同前扉側の下部の背面図である。
【図４】同前扉側の下部の平面断面図である。
【図５】同前扉側の下部の一部破断側面図である。
【図６】同清掃窓の開放状態の背面図である。
【図７】同誘導通路側の正面断面図である。
【図８】同誘導通路側の平面断面図である。
【図９】同誘導通路側の側面断面図である。
【図１０】同球送り手段の分解図である。
【図１１】本発明の第２の実施形態を示す誘導通路側の平面断面図である。
【図１２】同正面断面図である。
【図１３】同側面断面図である。
【図１４】本発明の第３の実施形態を示す誘導通路側の平面断面図である。
【図１５】同球送り手段等の背面図である。
【図１６】本発明の第４の実施形態を示す誘導通路側の背面断面図である。
【図１７】同誘導通路側の側面断面図である。
【発明を実施するための形態】
【００１５】
以下、本発明の各実施形態を図面に基づいて詳述する。
【００１６】
図１〜図１０は本発明をパチンコ機に採用した第１の実施形態を例示する。パチンコ機１は図１〜図５に示すように矩形状の外枠２と、この外枠２の前側に装着された前枠３とを備え、これらにより遊技機本体が構成されている。前枠３は左右一端側が上下一対のヒンジ４により外枠２に縦軸廻りに開閉自在に枢支されている。
【００１７】
前枠３には上部側の遊技盤装着部５に遊技盤６が前側から着脱自在に装着され、また、下部側の支持壁７に発射手段８、下部スピーカ９等が装着されている。前枠３の前側には、ヒンジ４と略同一軸心上のヒンジ１０により前扉（開閉体）１１が開閉自在に装着されている。遊技盤６は遊技盤装着部５に後側から着脱するようにしてもよい。
【００１８】
前扉１１は前枠３の上下幅、左右幅に対応する大きさであって、合成樹脂製の扉枠１２と、この扉枠１２の裏面に上下方向に装着された左右一対の縦補強部材１３等を有する。前扉１１の上部側には、遊技盤６に対応する視認窓１４と、この視認窓１４の上側に配置された左右一対の上部スピーカ１５と、視認窓１４の下部側に配置された左右一対の中間スピーカ１６と、これらの前側に配置された化粧カバー１７とが設けられている。
【００１９】
また、前扉１１の下部側には、発射用の遊技球を貯留する上貯留手段２０、余剰球を貯留する下貯留手段２１、チャンスボタン兼用の発光演出手段２２、発射手段８用の発射ハンドル２３及び化粧カバー２４，２５等が支持壁１８の前側に、発射手段８へと遊技球を送る球送り手段２６が支持壁１８の後側に夫々設けられている。なお、前扉１１は視認窓１４を含む上部側と、貯留手段２０，２１及び発射ハンドル２３を含む下部側とに二分割してもよい。
【００２０】
遊技盤６の前面には図２に示すように略円形状の遊技領域３０があり、この遊技領域３０はガイドレール３１と前飾り部材２８とにより取り囲まれている。ガイドレール３１は発射手段８から発射された遊技球を遊技領域３０の上部側へと案内するようになっている。
【００２１】
遊技領域３０には、画像表示手段３２、普通図柄始動手段３３、特別図柄始動手段３４、可変入賞手段３５、普通入賞手段３６、普通図柄表示手段３７、特別図柄表示手段３８等の各種の遊技部品が配置されている。
【００２２】
画像表示手段３２は遊技領域３０の左右方向の略中央の上部に配置され、また、特別図柄始動手段３４、可変入賞手段３５は画像表示手段３２の下側に上下に配置されている。普通図柄始動手段３３は画像表示手段３２とガイドレール３１との間に配置されている。特別図柄始動手段３４は非開閉式入賞口３４ａと開閉式入賞口３４ｂとを有する。可変入賞手段３５は可変入賞口３５ａと、この可変入賞口３５ａを開閉する開閉板３５ｂとを備えている。普通入賞手段３６は可変入賞手段３５の左右両側に設けられている。
【００２３】
画像表示手段３２は、支持部材（図示省略）を介して遊技盤６に裏側から装着された液晶式等の画像表示部３９と、画像表示部３９に対応する表示窓を有し且つ遊技盤６に前側から装着された前飾り用の前構造体４０とを備え、前構造体４０の上部側の前面に普通図柄表示手段３７と特別図柄表示手段３８とが装着されている。画像表示部３９、前構造体４０は遊技盤６の開口に対応して前後両側に配置されている。
【００２４】
普通図柄表示手段３７は普通図柄を変動表示するためのもので、複数種類の普通図柄（例えば二種類の「○」「×」）に対応する複数個の発光素子により構成されており、普通図柄始動手段３３が遊技球を検出することを条件に２個の発光素子が交互に点灯するように所定時間点滅して、普通図柄始動手段３３の遊技球の検出時に抽選した乱数値が予め定められた特定遊技判定値と一致した場合に特定態様の「○」側の発光素子が点灯し、それ以外の場合に非特定態様の「×」側の発光素子が点灯して停止する。
【００２５】
特別図柄表示手段３８は発光部位の変化等で特別図柄を変動表示可能なセグメント式等により構成されており、特別図柄始動手段３４が遊技球を検出することを条件に、特別図柄が所定時間変動して、特別図柄始動手段３４の遊技球の検出時に抽選された乱数値が予め定められた特別遊技判定値と一致した場合に所定の特別遊技態様で、それ以外の場合に非特別遊技態様で停止するようになっている。
【００２６】
特別図柄始動手段３４の開閉式入賞口３４ｂは、普通図柄表示手段３７の変動後の停止図柄が特定態様となったときに所定時間（短時間）だけ開放するようになっている。可変入賞手段３５は特別図柄表示手段３８の変動後の特別図柄が特別遊技態様となって特別遊技状態が発生したときに開閉板３５ｂが前側に開放して、上方から落下する遊技球を可変入賞口３５ａへと入賞させるようになっている。
【００２７】
画像表示部３９は待機中にデモ画像を表示し、遊技中に特別図柄表示手段３８の特別図柄に対応する演出図柄を変動表示する等、必要に応じて適宜タイミングで各種の演出画像を随時表示して画像演出を行うためのものである。
【００２８】
即ち、特別図柄表示手段３８の特別図柄の変動に際しては、その特別図柄の変動に同期して１個又は複数個、例えば３個の演出図柄４１ａ〜４１ｃが画像表示部３９に変動表示される。この演出図柄４１ａ〜４１ｃは特別図柄始動手段３４の遊技球の検出を条件に、抽選により決定された所定の演出図柄変動パターンを経て所定時間変動した後、特別図柄の変動終了に同期して所定の順序（例えば左、右、中等の順序）で順次停止する。
【００２９】
演出図柄４１ａ〜４１ｃの変動後の停止図柄は、特別図柄が特別遊技態様で停止する場合には全てが揃う特別演出態様となり、特別図柄が非特別遊技態様で停止する場合には少なくとも一部が異なる非特別演出態様となる。
【００３０】
例えば、演出図柄４１ａ〜４１ｃには０〜９までの数字図柄が使用されており、特別図柄が特別遊技態様で停止する場合には演出図柄４１ａ〜４１ｃは「７・７・７」等の特別演出態様で停止し、特別図柄が非特別遊技態様で停止する場合には演出図柄４１ａ〜４１ｃは「２・３・４」等の非特別演出態様で停止する。
【００３１】
画像表示手段３２は変動後の特別図柄が特別遊技態様となる信頼度の高い演出パターンを抽選したとき等、遊技者に対して期待感を抱かせる所定の遊技状態、例えば１個の演出図柄４１ｂを除く２個の演出図柄４１ａ，４１ｃが同じとなるリーチとなった場合に、画像表示部３９の所定箇所に発光演出手段２２の操作を指示する操作指示画像４２を表示する。
【００３２】
発射手段８は、図２に示すように、発射用の遊技球を受ける発射レール４５と、発射レール４５上の遊技球を所定の発射位置に規制するストッパー４６と、前後方向の駆動軸４７廻りに回動して発射レール４５上の遊技球を遊技盤６側へと打撃する打撃槌４８と、駆動軸４７を介して打撃槌４８を駆動するロータリソレノイド等の発射駆動手段４９とを備え、発射ハンドル２３を操作したときに、発射駆動手段４９の駆動により打撃槌４８が発射レール４５上の遊技球を打撃して遊技盤６側へと発射するようになっている。
【００３３】
発射レール４５、ストッパー４６は発射ベース板５０の前面に固定されている。打撃槌４８は駆動軸４７を介して発射ベース板５０の前側に支持され、発射駆動手段４９は発射ベース板５０の裏側に装着されている。発射ベース板５０は前枠３の支持壁７の前側に装着されている。下部スピーカ９は発射ハンドル２３の後方で前枠３の支持壁７に装着されている。
【００３４】
視認窓１４は前扉１１の扉枠１２の裏側に着脱自在に装着されたガラスユニット等の透明板ユニット５２を備え、遊技盤６の遊技領域３０を前側から視認できるようになっている。透明板ユニット５２は、図５に示すように、ガラス板等の前後２枚の透明板５３と、この透明板５３が所定の間隔となるように外周側を保持する保持部材５４とを備え、視認窓１４を塞ぐように扉枠１２の裏側に着脱自在に装着されている。
【００３５】
前扉１１の下部には、図３〜図５に示すように、扉枠１２と一体の支持壁１８が設けられ、この支持壁１８の裏面に板金製の補強板５６が装着されている。なお、扉枠１２の下端部に左右方向に補強部材を設ける等により、補強板５６を省略することもできる。
【００３６】
支持壁１８には、図６〜図１０に示すように、球送り手段２６に遊技球を供給する球供給口５７と、この球供給口５７の上流側に連続状に配置された清掃窓５８とが球送り手段２６に対応して前後に貫通状に形成されている。
【００３７】
球送り手段２６は、図４〜図１０に示すように、補強板５６の後側に沿って配置された前後に偏平状の球送りケース５９と、この球送りケース５９内に昇降自在に設けられた球送り部材６０と、この球送り部材６０を昇降させるソレノイド等の昇降駆動手段６１とを有し、発射手段８の発射動作に連動して球送り部材６０を昇降させることにより、遊技球を１個ずつ発射手段８の発射レール４５上に送るようになっている。
【００３８】
球送りケース５９は、球供給口５７に対応して前側に開口する球受入れ口６２と、この球受入れ口６２よりも下側に設けられ且つ発射レール４５の上方の後側に開口する球送り口６３とを前後に備え、支持壁１８の軸受け部６４に挿通する下側の枢軸６５により、清掃窓５８の後側を開放する開放位置と、支持壁１８に沿って固定され且つ清掃窓５８を後側から塞ぐ装着位置との間で回動自在に枢着され、位置決め手段６９と固定手段６６とにより補強板５６に後側から当接する装着位置に位置決めし固定されている。
【００３９】
球送り部材６０は上昇時に球受入れ口６２からの遊技球を１個受け入れて下降時にその遊技球を球送り口６３へと送る球受け部６０ａと、下降時に球受入れ口６２の後続の遊技球の進入を阻止する阻止部６０ｂとを一端側に有し、他端側が前後方向の支軸６７により上下揺動自在に枢支されている。昇降駆動手段６１は球送り部材６０の磁性体を吸着するようになっている。
【００４０】
枢軸６５は球送りケース５９から下側に突出する取り付け部６５ａの下端に左右方向に設けられ、支持壁１８の軸受け部６４に左右方向に挿脱自在に挿入されている。固定手段６６は球送りケース５９に形成された被押圧部６６ａと、支持壁１８側に支軸６６ｂにより枢支された固定具６６ｃとを有し、固定具６６ｃで被押圧部６６ａを押圧して球送りケース５９を固定するようになっている。
【００４１】
位置決め手段６９は固定手段６６の近傍に配置されており、支持壁１８側に形成された位置決め凹部６９ａと、被押圧部６６ａに設けられ且つ位置決め凹部６９ａに挿入される位置決め突起６９ｂとを有し、位置決め突起６９ｂが位置決め凹部６９ａに入って球送り手段２６を装着位置に位置決めするようになっている。
【００４２】
上貯留手段２０は発射用の遊技球を貯留するためのもので、図４に示すように、支持壁１８から前側に広がる皿状の貯留部７０と、この貯留部７０の左右一方側に支持壁１８に沿って配置され且つ貯留部７０からの遊技球を一列状に整列させる整列部７１とを有し、支持壁１８の前側に装着された皿部材６８に設けられている。整列部７１は貯留部７０側から左右方向の反対側へと深くなる溝状に形成され、その下流端側が屈曲部７１ａを介して誘導通路７２に接続されている。
【００４３】
誘導通路７２は遊技球を球送り手段２６へと誘導するためのもので、図４〜図９に示すように、皿部材６８に一体に形成された仕切り壁７３とその後側の支持壁１８との間に左右方向に配置されており、その上流側が整列部７１の屈曲部７１ａに接続され、下流端側が球供給口５７へと緩やかな傾斜状に形成されている。誘導通路７２は下流端側で後側に開口する球供給口５７と、この球供給口５７の上流側近傍で下側に開口する球抜き孔７４と、この球抜き孔７４の上流側に設けられた板金製の底板７５とを有し、後側が支持壁１８の清掃窓５８に対応して開放状になっている。
【００４４】
誘導通路７２の上側には、図７に示すように、支持壁１８、仕切り壁７３から前後逆向きに一体に突出する上閉塞部７７，７８によって塞がれている。仕切り壁７３側の上閉塞部７８は誘導通路７２の下流側に設けられており、後端が支持壁１８に当接している。なお、この仕切り壁７３側の上閉塞部７８の上側は、その上の遊技球を貯留部７０へと案内する案内部７８ａとなっている。支持壁１８側の上閉塞部７７は誘導通路７２の上流側に設けられており、前端が仕切り壁７３に当接すると共に、下流の段部７７ａ側が上閉塞部７８の段部７８ｂ上に重ねられている。
【００４５】
上閉塞部７７，７８の下面は、上流側から下流側へと球崩し部７９が傾斜状に形成され、この球崩し部７９によって球供給口５７へと誘導される遊技球の重なりを崩すようになっている。誘導通路７２の底部側には、金属板等の耐摩耗性を有する底板７５が上流側に装着され、その底板７５の下側に、球抜き孔７４を開閉する開閉手段８１が設けられている。
【００４６】
底板７５は図５、図８に示すように金属板をコ字状に折り曲げたもので、仕切り壁７３側から後方に突出する受け部８７に後側から着脱自在に装着されている。誘導通路７２の球供給口５７の底壁７２ａは、球供給口５７側に傾斜している。
【００４７】
開閉手段８１は底板７５の下側に球抜き孔７４の開閉方向に摺動自在に配置された開閉板８２と、支軸８３廻りに回動自在に枢支され且つ開閉板８２に連結された連動アーム８４等の連動機構８５と、化粧カバー２４の上側に突出する操作ボタン８０とを備え、操作ボタン８０を押圧したときに連動機構８５を介して開閉板８２が球抜き孔７４を開放するようになっている。球抜き孔７４は上貯留手段２０内の遊技球を球抜き通路８６を介して下貯留手段２１へと案内するようになっている。
【００４８】
支持壁１８の清掃窓５８は誘導通路７２を後側から清掃するためのものであって、図４〜図６、図８及び図９に示すように、誘導通路７２の背面形状と相対応する大きさを有し、球送りケース５９の窓閉塞部８９によって開閉自在に閉塞されている。窓閉塞部８９は球供給口５７の近傍から上流側で球送りケース５９に一体に突出して形成されており、球送りケース５９を支持壁１８側に固定したときに、前端面が支持壁１８の前面と略同じになるように清掃窓５８内に突出して清掃窓５８を後側から閉塞している。窓閉塞部８９の下流側端は球供給口５７の上流側に位置している。
【００４９】
支持壁１８には清掃窓５８の外周から後方に突出する突条部９０が誘導通路７２の上流側に対応して設けられており、この突条部９０が窓閉塞部８９の外周で球送りケース５９の前面の溝部９１に入っている。なお、突条部９０は清掃窓５８の全周、又は略全周に設けてもよい。
【００５０】
下貯留手段２１は皿状であり、上貯留手段２０の下側に設けられている。発射ハンドル２３は前扉１１の右下部に配置されている。発光演出手段２２は操作手段兼用の発光カバー２２ａを有し、上貯留手段２０の整列部７１の前側に配置されており、操作指示画像４２の表示期間中に発光カバー２２ａを操作したときに内部の発光体が発光して特別遊技の発生を予告する等、所定の操作を条件に所定の演出を行うようになっている。
【００５１】
このパチンコ機において、通常、球送り手段２６は球送りケース５９が補強板５６の裏面に当接した状態で固定手段６６により固定されており、その窓閉塞部８９が支持壁１８に形成された清掃窓５８内に突出して、この窓閉塞部８９により誘導通路７２の後側を塞いだ状態にある。
【００５２】
そこで、上貯留手段２０の貯留部７０内に遊技球を貯留すると、その遊技球は貯留部７０から整列部７１へと移動して一列状に整列しながら、この整列部７１から誘導通路７２へと入り、球送りケース５９の窓閉塞部８９等により球供給口５７へと誘導されて行く。このとき球送り手段２６では、通常、昇降駆動手段６１のソレノイドが励磁して球送り部材６０を上昇位置に保持している。そのため誘導通路７２を経て球供給口５７へと誘導されて来た１個目の遊技球は、球送りケース５９の球受入れ口６２から球送り部材６０の球受け部６０ａ上に載り、後続の遊技球は球受け部６０ａ上の遊技球に当接して進入を阻止された状態となる。
【００５３】
発射手段８による遊技球の発射に際しては、発射ハンドル２３を手で把持して操作すると、発射手段８の打撃槌４８が発射ハンドル２３の操作量に応じた打撃力で回動して発射レール４５上の遊技球を打撃し、その遊技球を遊技盤６の遊技領域３０へと発射する。
【００５４】
一方、発射手段８による遊技球の発射動作に先行して、球送り手段２６が１個の遊技球を発射レール４５上に送り込む。このとき先ず昇降駆動手段６１のソレノイドが消磁して球送り部材６０が支軸６７廻りに下降し、球受け部６０ａが球送り口６３に対応したときに、その遊技球を球送り口６３から発射レール４５上へと落下させて送り込む。球送り部材６０が下降したときには、阻止部６０ｂが球受入れ口６２側の後続の遊技球の進入を阻止している。球送り口６３から遊技球が落下すると、昇降駆動手段６１のソレノイドが励磁して球送り部材６０を上昇させるので、２個目の球受入れ口６２から球送り部材６０の球受け部６０ａ上に載る。
【００５５】
発射レール４５上に供給された遊技球はストッパー４６により所定位置に規制され、その後、発射駆動手段４９の駆動により打撃槌４８が駆動軸４７廻りに発射方向に回動して発射レール４５上の遊技球を遊技盤６側へと打撃して発射させる。以下、同様にして上貯留手段２０から誘導通路７２を経て球送り手段２６へと遊技球を誘導し、その遊技球を球送り手段２６により発射手段８へと供給しながら、発射手段８により遊技球を遊技盤６へと発射して遊技を行う。
【００５６】
上貯留手段２０の遊技球を下貯留手段２１に抜き取る場合には、操作ボタン８０を押圧すると、連動機構８５を介して開閉板８２が開方向に摺動し、球抜き孔７４を開放する。このため貯留部７０内の遊技球は整列部７１、誘導通路７２を経て球抜き孔７４から球抜き通路８６へと落下し、球抜き通路８６から下貯留手段２１へと案内されて行く。
【００５７】
このように上貯留手段２０の遊技球は整列部７１で一列状に整列した後、その整列状態のままで誘導通路７２を経て球送り手段２６へと誘導されるため、長期間にわたって稼動すれば、遊技球の汚れが誘導通路７２に付着するため、誘導通路７２を清掃して底板７５等の汚れを除去する必要がある。
【００５８】
この清掃に際しては、先ず前扉１１をヒンジ１０廻りに開放した後、固定手段６６による球送り手段２６の固定を解除し、球送り手段２６を枢軸６５廻りに下方側へと回動させる。すると、球送りケース５９の窓閉塞部８９が支持壁１８の清掃窓５８から外れるため、誘導通路７２の清掃窓５８側が開放状となるので、この清掃窓５８から誘導通路７２内に清拭布等を挿入して誘導通路７２内の清掃を行う。
【００５９】
誘導通路７２内の清掃が終われば、球送り手段２６を枢軸６５廻りに回動させて固定手段６６により装着状態に固定する。これによって球送り手段２６の窓閉塞部８９が支持壁１８の清掃窓５８内に突出するため、誘導通路７２の後側を閉塞することができる。
【００６０】
このように支持壁１８に清掃窓５８を設けて誘導通路７２を後側に開放状とし、その清掃窓５８を支持壁１８の裏側の球送り手段２６により開閉自在に塞ぐようにすれば、球送り手段２６を開放することにより誘導通路７２内の清掃を容易に行うことができる。
【００６１】
特に整列部７１が深い溝状の場合には誘導通路７２も深くなり、上側から仕切り壁７３と支持壁１８との間に手指等を挿入し難くなるが、誘導通路７２の清掃窓５８が後側に開放状であり、この清掃窓５８から手指等を挿入すればよいので、整列部７１、誘導通路７２の深さの大小に関係なく清掃を行うことができる。
【００６２】
従って、従来のように誘導通路７２の天井側を開閉する必要がなくなり、誘導通路７２の上側を固定状の上閉塞部７７，７８で塞ぐことが可能であり、その上閉塞部７７，７８側から誘導通路７２内に不正部材を挿入して球送り手段２６に不正工作をする等の不正行為を未然に防止できる。
【００６３】
また、球送り手段２６の球送りケース５９に窓閉塞部８９があり、この窓閉塞部８９が支持壁１８の清掃窓５８内に突出して誘導通路７２を塞ぐ構成であるため、誘導通路７２の清掃窓５８を球送り手段２６で閉塞するにも拘わらず、誘導通路７２内の遊技球をその窓閉塞部８９でスムーズに誘導することができる。
【００６４】
更に、球送り手段２６の球送りケース５９は、下側の枢軸６５を支点に左右方向の軸心廻りに回動自在に枢支しているので、球送り手段２６を枢軸６５廻りに垂れ下がった状態に維持することができる。そのため誘導通路７２内の清掃の際に、球送り手段２６を手指等で開状態に保持しなくても球送り手段２６が不安定に揺動するようなこともない。
【００６５】
しかも、支持壁１８には清掃窓５８の外周から後方に突出する突条部９０が誘導通路７２の少なくとも上流側に対応して設けられており、この突条部９０が窓閉塞部８９の外周で球送りケース５９の前面の溝部９１に入っているため、整列部７１の下流側から清掃窓５８を経て支持壁１８の裏側へと不正部材を挿入する等の不正工作も防止することができる。
【００６６】
また、球送り手段２６が邪魔になる場合には、その下側の枢軸６５を軸受け部６４から軸心方向に抜き取ればよい。そのため球送り手段２６は必要に応じて容易に着脱することができる。
【００６７】
図１１〜図１３は本発明の第２の実施形態を例示する。この実施形態では、支持壁１８側の球供給口５７と誘導通路７２側の底部の球抜き孔７４とが誘導通路７２の下流側の略同じ位置に設けられ、開閉板８２の下流端側の上面に、遊技球を球供給口５７側へと案内する傾斜部８２ａが形成されている。他の構成は第１の実施形態と略同様である。
【００６８】
このように誘導通路７２の球供給口５７と球抜き孔７４は、通路方向の略同一位置に設けてもよい。
【００６９】
図１４、図１５は本発明の第３の実施形態を例示する。この実施形態では、球送り手段２６は誘導通路７２の下流端側の近傍に上下方向の枢軸６５廻りに回動自在に枢支され、枢軸６５から離間して設けられた固定手段６６により装着状態に固定されている。枢軸６５は球送りケース５９から突出する一対の取り付け部６５ａの先端部に設けられ、支持壁１８から後側に突出する軸受け部６４に上側から着脱、回動自在に挿入されている。固定手段６６は球送りケース５９の上側に設けられており、球送りケース５９側の被押圧部６６ａと、支持壁１８に支軸６６ｂにより枢支された固定具６６ｃとを備えている。他の構成は第１の実施形態と略同様である。
【００７０】
このように球送り手段２６は、誘導通路７２の通路方向の一端側に配置された上下方向の枢軸６５により開閉自在に枢着することも可能である。
【００７１】
図１６、図１７は本発明の第４の実施形態を例示する。この実施形態では、仕切り壁７３の後側に、後側が開放状の清掃窓５８を有する誘導通路７２が設けられ、その誘導通路７２の清掃窓５８が球送り手段２６により開閉自在に閉塞されている。支持壁１８には誘導通路７２よりも大きく開口する開口部９２が形成されている。
【００７２】
誘導通路７２は仕切り壁７３側に設けられた底壁９３、天井壁９４等の通路壁９５により構成され、その上手側が連通部９６を介して上貯留手段２０の整列部７１に接続されている。誘導通路７２の通路壁９５は支持壁１８の開口部９２内に突出しており、その後端側が球送りケース５９の溝部９１に入っている。誘導通路７２の清掃窓５８は球送りケース５９の窓閉塞部８９により開閉自在に塞がれている。他の構成は各実施形態と同様である。
【００７３】
このように支持壁１８とは別に仕切り壁７３等に誘導通路７２を設けて、その誘導通路７２の後側の清掃窓５８を支持壁１８の開口部９２内に配置した場合にも、支持壁１８に枢着された球送りケース５９側の窓閉塞部８９で清掃窓５８を開閉可能にすることが可能である。
【００７４】
従って、上貯留手段２０、誘導通路７２は支持壁１８の前側に、球送り手段２６は支持壁１８の後側に夫々配置するに当たっても、誘導通路７２の後側を開放状にして、その開放部分を清掃窓５８とすることができ、必ずしも清掃窓５８を支持壁１８に設ける必要はない。
【００７５】
以上、本発明の各実施形態について詳述したが、本発明はこの各実施形態に限定されるものではなく、本発明の趣旨を逸脱しない範囲で種々の変更が可能である。例えば、各実施形態では、遊技機として弾球遊技機の一つであるパチンコ機１について例示しているが、パチンコ機１以外のアレンジボール機等の遊技機においても同様に実施可能であることは云うまでもない。
【００７６】
また、実施形態では上貯留手段２０、下貯留手段２１を備えた遊技機を例示しているが、発射用の遊技球を貯留するもののみでもよい。前扉１１は遊技機本体の前側に上下一体に設ける他、上下方向の複数個に分割してもよい。また、実施形態では、前扉１１の支持壁１８の後側に球送り手段２６を設けているが、遊技機本体に開閉自在に設けられたものであれば、前扉１１以外の開閉体に球送り手段２６を設けてもよい。
【００７７】
球送り手段２６は誘導通路７２の後側の清掃窓５８を開閉できる構造であればよい。また、球送り手段２６以外の開閉部材で誘導通路７２の清掃窓５８を閉塞するようにしてもよい。更に、誘導通路７２の後端側に球送りケース５９の前面が当接する場合には、球送りケース５９に窓閉塞部８９等を設けずに、その球送りケース５９の平坦な前面で誘導通路７２の清掃窓５８を閉塞するようにしてもよい。また、誘導通路７２の清掃窓５８の大きさは、誘導通路７２内へ手指等を挿入して底部側の清掃を行える程度であればよい。
【符号の説明】
【００７８】
２  外枠
３  前枠
５  遊技盤装着部
６  遊技盤
７  支持壁
８  発射手段
１１  前扉
２０  上貯留手段
２６  球送り手段
５７  球供給口
５８  清掃窓
７２  誘導通路
７３  仕切り壁
７７，７８  上閉塞部
８９  窓閉塞部
９０  突条部
９１  溝部
【図１】
0005911920.tif 000002
【図２】
0005911920.tif 000003
【図３】
0005911920.tif 000004
【図４】
0005911920.tif 000005
【図５】
0005911920.tif 000006
【図６】
0005911920.tif 000007
【図７】
0005911920.tif 000008
【図８】
0005911920.tif 000009
【図９】
0005911920.tif 000010
【図１０】
0005911920.tif 000011
【図１１】
0005911920.tif 000012
【図１２】
0005911920.tif 000013
【図１３】
0005911920.tif 000014
【図１４】
0005911920.tif 000015
【図１５】
0005911920.tif 000016
【図１６】
0005911920.tif 000017
【図１７】
0005911920.tif 000018